(57)【要約】【課題】光ディスクを手動式のディスククリーナで拭い取る際にディスククリーナを光ディスクの半径方向へのみ移動させることが困難であり、情報トラックを損傷することがあった。【解決手段】光ディスクを水平に支持するディスク支持面３を有するディスク支持台１と、クリーニングパッド１７を底面に設け上部に手掛け部１３を設けたディスククリーナ１１との組み合わせよりなるディスククリーニング装置において、前記ディスククリーナ１１の底面に、少なくとも１本の直線状ガイド溝１９を設け、前記支持台のディスク支持面３の中心に前記ガイド溝に嵌合するガイド突起５、５’を起立させた。ディスククリーナのガイド溝を支持台の支持面中心から起立するガイド突起に嵌合させてガイド溝に沿った方向にディスククリーナを移動させる。ディスククリーナを手で把持しているかぎりディスククリーナの移動方向はガイド溝に沿った方向に限定される。【選択図】  図２
2006252720.tif 000002
【特許請求の範囲】
【請求項１】
光ディスクを水平に支持するディスク支持面を有するディスク支持台と、クリーニングパッドを底面に設け上部に手掛け部を設けたディスククリーナとの組み合わせよりなるディスククリーニング装置において、
前記ディスククリーナの底面に、少なくとも１本の直線状ガイド溝を設け、前記支持台のディスク支持面の中心に前記ガイド溝に嵌合するガイド突起を起立させたディスククリーニング装置。
【請求項２】
前記ガイド溝は前記底面の中心で交差する十字形に形成されている請求項１のディスククリーニング装置。
【請求項３】
前記ディスククリーナの底面は円形に形成され、その直径は、前記ディスククリーナの前記ガイドに沿った直線移動範囲で光ディスクの直径方向の全領域が前記クリーニングパッドにより拭い取れるように定められている請求項１または２のディスククリーニング装置。
【請求項４】
前記ディスククリーナの底面は円形に形成され、前記クリーニングパッドは前記円形底面の外縁近傍に沿って前記底面に接合された円環状の拭シートよりなる請求項１ないし３項のいずれか一項に記載のディスククリーニング装置。
【請求項５】
前記支持台に設けられる前記ガイド突起は円形断面を有する請求項１ないし４項のいずれか一項に記載のディスククリーニング装置。
【請求項６】
前記支持台に設けられる前記ガイド突起は回転可能であり、前記ディスククリーナの前記ガイド溝との間に相対回転を生じない様な断面形状を有している請求項１ないし４項のいずれか一項に記載のディスククリーニング装置。
【発明の詳細な説明】
【技術分野】
【０００１】
本発明は、ＤＶＤ、ＣＤ等の光ディスクの情報記録面を拭布によりクリーニングするディスククリーニング装置に関し、特に手動の簡易なディスククリーニング装置に関する。
【背景技術】
【０００２】
従来の光ディスククリーニング装置としては、自動式、半自動式及び手動式がある。しかし自動式は機構が複雑で高価になるので、特殊用途を除いては広く普及してはいない。
【０００３】
半自動式ディスククリーニング装置には例えば特開２００２−１３３８２５があり、光磁気ディスクあるいはカートリッジ入りの光ディスクが装着される底板と、該底板に対して開閉される拭材操作蓋体とを有し、蓋体の中空内部に、被動レバーを備えた一方向回転軸受部と、該被動レバーと係合して往復直動する、先端に拭材（クリーニングパッド）を備えた往復直動部材と、該往復直動部材と係合してその複動時に該往復直動部材の先端部を浮き上がらせる可動ガイド機構とを有し、蓋体の上面に配置した手動回転部の操作で、前記拭材が光ディスクに対して浮上、半径方向復帰移動、降下および半径方向の擦過清掃の各動作がなされる。拭き残しがなく、単純な動作で自動的に光磁気ディスクあるいはカートリッジ入りの光ディスクを一定の接触圧で半径方向に擦過清掃できる清掃装置を実現している。しかし、同様に機構が複雑で高価となり一般家庭まで普及することは難しい。
【０００４】
従来から広く普及しているものは、フェルトや不織布等のクリーニングパッドを底面に設け上部に手掛け部（ハンドル）を設けたディスククリーナ、又はディスククリーナと光ディスクを水平に支持する支持面を備えたディスク支持台とを組み合わせたクリーニング装置である。使用にあたり、支持台の支持面に光ディスクの情報記録面を上向きにして固定し、クリーニングパッドで情報記録面に付着した埃、指紋、油脂膜等を拭き取ることにより、再生時に情報記録面から読み出される再生信号からのデジタルエラーを低減している。
【特許文献１】特開２００２−１３３８２５号公報
【発明の開示】
【発明が解決しようとする課題】
【０００５】
上記した形式の手動式ディスククリーナは光ディスクの情報トラックに傷を付けやすい。特に情報トラックに沿ってクリーニングパッドが移動するときにこの傾向が強いので、上記特許文献に記載されているように、ディスククリーナの移動は光ディスクの半径方向に行う必要があるが、従来の手動式ディスククリーナでは使用者が気を付けてディスククリーナの移動方向を半径方向に制御することが困難であり、或いは使用者によっては方向に無頓着に拭き取り作業を行うため、適正なクリーニングができなかった。
従って、本発明は記録トラックに沿ったクリーニングパッドが情報トラックの方向に移動しないようにした簡便な手動式ディスククリーナを提供することを目的とする。
【課題を解決するための手段】
【０００６】
本発明は、このような問題のない手動式ディスククリーニング装置を提供する。
すなわち、本発明は、光ディスクを水平に支持するディスク支持面を有するディスク支持台と、クリーニングパッドを底面に設け上部に手掛け部を設けたディスククリーナとの組み合わせよりなるディスククリーニング装置において、前記ディスククリーナの底面に、少なくとも１本の直線状ガイド溝を設け、前記支持面の中心に前記ガイド溝に嵌合するガイド突起を起立させたディスククリーニング装置により、従来の問題を解決する。
【発明の効果】
【０００７】
本発明のディスククリーニング装置の使用にあたり、光ディスクを支持台の支持面に載せて固定する。次いでディスククリーナのガイド溝を支持台の支持面中心から起立するガイド突起に嵌合させてガイド溝に沿った方向にディスククリーナを移動させる。ディスククリーナを手で把持しているかぎりディスククリーナの移動方向はガイド溝に沿った方向に限定される。特定方向の掃払が終わったら、ディスククリーナを他の角度位置に回転させたのち、同様な作業を続ける。
この装置は構造が単純で、可動機構が存在しないので、安価に製造できるにもかかわらず、ディスククリーナの半径方向への正確な案内が可能になる。
【発明を実施するための最良の形態】
【０００８】
上記のように、本発明のディスククリーニング装置は、清浄にすべき記録面を有する光ディスクを水平に支持するディスク支持面を有するディスク支持台と、クリーニングパッドを底面に設け上部に手掛け部を設けたディスククリーナとの組み合わせよりなる。
前記ディスククリーナの底面には少なくとも１本の直線状ガイド溝を設け、前記支持面の中心に前記ガイド溝に嵌合できるガイド突起を起立させ、クリーニングパッドを有する底面を、前記ガイド溝がガイド突起に嵌合させた状態で光ディスク上に載せるようにした。
【０００９】
より詳しく述べると、本発明の実施形態は次の通りである。
（１）本発明は、広くは光ディスクを水平に支持するディスク支持面を有するディスク支持台と、クリーニングパッドを底面に設け上部に手掛け部を設けたディスククリーナとの組み合わせよりなるディスククリーニング装置において、
前記ディスククリーナの底面に、少なくとも１本の直線状ガイド溝を設け、前記支持台のディスク支持面の中心に前記ガイド溝に嵌合するガイド突起を起立させたディスククリーニング装置を提供する。
（２）好ましい形態では、前記ガイド溝は前記底面中心で交差する十字形に形成されている。これにより手掛け部を把持した状態でディスククリーナを直角な２つの半径方向へ移動させることが可能になる。
（３）他の好ましい形態では、ディスククリーナの底面は円形に形成され、その直径は、ディスククリーナの前記ガイドに沿った直線移動範囲で光ディスクの直径とほぼ等しい範囲を拭い取れるように定められている。これによれば、光ディスクは中心孔の両側が同時に清掃できる。
【００１０】
（４）更に他の好ましい形態では、ディスククリーナの底面は円形に形成され、クリーニングパッドは前記円形底面の外縁近傍に沿って接合された円環状の拭シートよりなる。これによりクリーニング作業中にクリーニングパッドがむらなく一様に光ディスク面に接触することができる。
（５）別の好ましい形態では、支持台に設けられるガイド突起は円形断面を有する。これによると、ディスククリーナの円滑なガイドが可能となり、またディスククリーナの角度の転換が容易になる。なおディスククリーナは拭い作業中には手で把持されているのでディスククリーナの回転は実質的に生ぜず、作業を中断してディスククリーナを手で持ち替えることで角度の転換ができる。
（６）別の好ましい形態では、支持台に設けられるガイド突起はディスククリーナのガイド溝との間に相対回転を生じないような断面形状を有する。これによると、より正確な直線方向の案内ができる。ただし、この例ではディスククリーナの角度の転換を可能にするようにガイド突起を回転できるようにする必要がある。拭い作業中にはディスククリーナを手で把持しているのでガイド突起の回転は生じない。
【実施例】
【００１１】
図１〜５は本発明の好ましい実施例を示し、図６は本発明のディスク支持台の他の例を示し、図７はディスククリーナの他の例を示す。
図５を参照するに、本発明のディスククリーニング装置は、光ディスク（図示せず）を水平に支持するディスク支持面３を有するディスク支持台１と、クリーニングパッド１７を底面に設け上部に手掛け部１３を設けたディスククリーナ１１との組み合わせよりなる。
【００１２】
ディスク支持面３は、図１に示すようにディスク支持台１の中央部に光ディスクが嵌合できる円形凹部２の底に水平面として形成されている。このディスク支持面３は直接光ディスクの裏面を保持してもよいが、図示のように、光ディスクの裏面を保持しかつその回転を阻止できるように、摩擦性で緩衝性のシート９（例えば粘弾性ポリウレタンシート等）をその上に更に設けてもよい。平面部の中央には円形断面を有するガイド突起５が起立しており、光ディスクの中心孔がこれに嵌合する。同時にこのガイド突起５は手動のディスククリーナ１１に対して以下で述べる重要な案内作用を有する。凹部２の周囲の直径を挟んで対向した個所には光ディスクの取り出しに際して指を入れることができる一対以上の切り欠き７を有する。ディスク支持台１の上面は、装着した光ディスクの面よりもわずかに低くなるような寸法に定めると拭い動作の邪魔にならない。なお、ディスク支持台１の底面の４箇所にはゴム脚４を設けるとよい。
【００１３】
図２のように、ディスククリーナ１１の下端部はフランジ１５から形成されておりその底面には少なくとも１本（この例では２本）の直線状ガイド溝１９（この例では第１の溝１９−１及び第２の溝１９−２を十字形に交差させてある）を設ける。ガイド溝は図７のように１本でもよいが、この例のように十字形に交差するガイド溝１９−１と１９−２を設けると、直角な２方向の半径方向にディスククリーナ１１を移動させることが可能になる。
【００１４】
ガイド溝１９の幅はガイド溝１９がガイド突起５（図１、図５）に嵌合した状態で容易に滑動できるような寸法に定める。ガイド溝１９の長さはディスククリーナ１１が光ディスクの直径全体にわたりクリーニングを実施できるように定める。
【００１５】
さらに、この底面の周辺部にはガイド溝１９を取り囲むように環状シートのクリーニングパッド１７が貼着されている。クリーニングパッドはガイド溝１９を除く全底面に設けてもよいが、光ディスクに対するムラのない均一な接触を達成するには環状の方がよい。クリーニングパッド１７の材質は従来から知られている素材、例えばなめし鹿皮、柔らかい織布又は不織布等が使用できる。
一方手掛け部１３の形状は任意でよく、把持し易ければいかなる形でもよい。
【００１６】
ディスククリーナ１１に十字形等の溝を形成し易くするために、図３〜４の２部材構造を用いると好都合である。図３のように手掛け部１３の下方には大径管状部が形成され、その内面には２以上の係止溝１２が設けられる。この溝は軸線方向と円周方向の溝よりなる。手掛け部１３の下部にはフランジ１５と同じ広がりのフランジ１４が設けてある。図４のようにフランジ部１５には手掛け部１３の内径に勘合できる外径管状部１８が設けられ、その外周面に２以上の小突起１６が対称に設けられている。これらの突起は上述の係止溝に嵌合でき、且つそれらに沿ってスライド可能にある。従って小突起１６を手掛け部１３の係止溝１２の縦溝に合わせて管状部１８を手掛け部１６の管状部１４の中へ押し込み、次いで回転させると両部材１３、１５は対抗面で衝合し、一体に固定される。
【００１７】
ディスククリーナ１１の直径は光ディスクよりも小さい。ディスククリーナ１１のフランジ１５の直径は、クリーニングパッド１７が、ディスククリーナ１１のガイド突起５に沿った直線移動範囲で光ディスクの情報記録部の内径のやや内側から外径のやや外側まで拭い取れるように定められている。具体的に説明すれば、図５において、ガイド溝１９の一端部がガイド突起５に係合した場合に、クリーニングパッド１７の片側（図では右側）が情報記録部の外径の外側にあり、クリーニングパッド１７の直径を挟んだ他側が情報記録部の内径のやや内側にあるように定める。図３のディスククリーナのフランジ１５の位置（実線）と１５’の位置（仮想線）から明らかなように、クリーニングパッド１７を直線移動させるとディスクの直径方向の全領域が同時に清浄にできる。
【００１８】
ディスク支持台１に設けられるガイド突起５は円形断面を有するので、ディスククリーナの円滑なガイドが可能となり、またディスククリーナの角度の転換が容易になる。既に述べたように、ディスククリーナは拭い作業中には手で把持されているのでディスククリーナの回転は実質的に生ぜず、作業を中断してディスククリーナを手で持ち替えることで別の角度への転換ができる。
【００１９】
図６の他の例では、ディスク支持台１に設けられるガイド突起５’はディスククリーナのガイド溝１９との間に相対回転を生じないように同一の４本のリブよりなる形状を有する。これによると、より正確な直線方向の案内ができる。ただし、この例ではディスククリーナの角度の転換を可能にするようにガイド突起を回転できるようにする必要がある。拭い作業中にはディスククリーナを手で把持しているのでガイド突起の回転は生じない。
【００２０】
動作において、光ディスクの情報記録面を上にしてその中心孔をガイド突起５（又は５’）に嵌合し、光ディスクの裏面をディスク支持台１の支持面（この例ではシート９の面）に載せる。次いでディスククリーナのガイド溝１９を支持台のガイド突起５に嵌合させてガイド溝１９−１及びガイド溝１９−２に沿った方向にディスククリーナを移動させる。ディスククリーナを手で把持しているかぎりディスククリーナの移動方向はガイド溝に沿った方向に限定される。特定方向の拭い作業が終わったら、ディスククリーナを他の角度位置に回転させたのち、同様な作業を続ける。
【産業上の利用可能性】
【００２１】
本発明はＤＶＤ、ＣＤ等の記録情報が円周方向に記録されている光ディスクの表面に付着する汚れや埃を拭き取るために広く利用できる。
【図面の簡単な説明】
【００２２】
【図１】本発明の実施例によるディスククリーニング装置のディスク支持台を示し、（ａ）は平面図、（ｂ）は正面図、及び（ｃ）は前記（ａ）のＡ−Ａ断面図である。
【図２】本発明の実施例によるディスククリーニング装置のディスククリーナを示し、（ａ）は平面図、（ｂ）は正面図、及び（ｃ）は底面図である。
【図３】ディスククリーナの手掛け部を示す正面図である。
【図４】ディスククリーナの、フランジを含む下側部分を示し、（ａ）は平面図、（ｂ）は正面図、及び（ｃ）は底面図である。
【図５】本発明の実施例によるディスククリーニング装置を示し、（ａ）は平面図及び（ｂ）は正面図である。
【図６】ディスク支持台の他の実施襟を示す平面図である。
【図７】ディスククリーナの他の実施例を示す底面図である。
【符号の説明】
【００２３】
１  ディスク支持台
２  凹部
３  ディスク支持面
５、５’  ガイド突起
７  切り欠き
９  シート
１１  ディスククリーナ
１３  手掛け部
１５  フランジ
１７  クリーニングパッド
１９  ガイド溝
【図１】
2006252720.tif 000003
【図２】
2006252720.tif 000004
【図３】
2006252720.tif 000005
【図４】
2006252720.tif 000006
【図５】
2006252720.tif 000007
【図６】
2006252720.tif 000008
【図７】
2006252720.tif 000009